(57)【要約】【課題】本発明は、容易に指で保持して計測表示器に取り付けることのできるバイオセンサを提供することを目的とする。【解決手段】基板１２と、測定用作用電極１４と、測定用対向電極１６と、反応部１８と、供給口２０と、から成るセンサ部１１を備え、計測表示器３０の取付口５２に挿入されて取り付けられ、反応部１８が供給口２０から導入された血液に反応することにより、血液中の血糖値（基質成分量）を測定するバイオセンサ１０において、センサ部１１の表面５４に突出部５８を有し、卓上面６０に載置した時に指を引っ掛ける摘み部が形成されるように構成した。【選択図】図１
2010038885.tif 000002
【特許請求の範囲】
【請求項１】
絶縁体から成る基板と、該基板上に設けられた測定用作用電極と、該基板上に該測定用作用電極と一定間隔を空けて設けられた測定用対向電極と、該測定用作用電極及び測定用対向電極上に設けられた反応部と、検体を該反応部まで導入する供給口と、から成るセンサ部を備え、
計測表示器の取付口に挿入されて取り付けられ、前記反応部が前記供給口から導入された検体に反応することにより、該検体中の基質成分量を測定するバイオセンサにおいて、
前記センサ部の、表面若しくは裏面、又は表面及び裏面に、突出部を有するバイオセンサ。
【請求項２】
絶縁体から成る基板と、該基板上に設けられた測定用作用電極と、該基板上に該測定用作用電極と一定間隔を空けて設けられた測定用対向電極と、該測定用作用電極及び測定用対向電極上に設けられた反応部と、検体を該反応部まで導入する供給口と、から成るセンサ部を備え、
計測表示器の取付口に挿入されて取り付けられ、前記反応部が前記供給口から導入された検体に反応することにより、該検体中の基質成分量を測定するバイオセンサにおいて、
前記センサ部の、表面若しくは裏面、又は表面及び裏面に、前記センサ部を変形させることにより突出部を形成し得るバイオセンサ。
【発明の詳細な説明】
【技術分野】
【０００１】
本発明は、検体中の基質成分量を測定することによって定量分析できるバイオセンサに関する。
【０００２】
従来から、検体の血糖値等を測定するバイオセンサが案出されている（例えば、特許文献１及び特許文献２参照。）。このバイオセンサによれば、計測表示器の取付口に挿入して取り付けた状態で、供給口から導入された血液等に反応部が反応した時の測定用作用電極及び測定用対向電極間の電流値を測定することにより、血糖値等を測定できる。
【０００３】
しかし、従来のバイオセンサは、長さが数センチメートル程度で非常に小さくしかも平板状であるため、容器から机上に出し、指で摘んで計測表示器に取り付けるのは困難であった。
【０００４】
【特許文献１】特開平８−３２０３０４号公報
【特許文献２】国際公開第２００４／０１７０５７号パンフレット
【発明の開示】
【発明が解決しようとする課題】
【０００５】
そこで、本発明者は、このような課題の原因を究明してこのような課題を解決するべく、鋭意研究を重ねた結果、本発明に至ったのである。
【０００６】
すなわち、本発明は、容易に指で保持して計測表示器に取り付けることのできるバイオセンサを提供することを目的とする。
【課題を解決するための手段】
【０００７】
本発明のバイオセンサは、絶縁体から成る基板と、該基板上に設けられた測定用作用電極と、該基板上に該測定用作用電極と一定間隔を空けて設けられた測定用対向電極と、該測定用作用電極及び測定用対向電極上に設けられた反応部と、検体を該反応部まで導入する供給口と、から成るセンサ部を備え、計測表示器の取付口に挿入されて取り付けられ、前記反応部が前記供給口から導入された検体に反応することにより、該検体中の基質成分量を測定するバイオセンサにおいて、前記センサ部の表面及び裏面の一方又は両方の平面から突出する突出部を有し又は該突出部を形成し得ることを特徴とする。
【０００８】
また、本発明のバイオセンサは、絶縁体から成る基板と、該基板上に設けられた測定用作用電極と、該基板上に該測定用作用電極と一定間隔を空けて設けられた測定用対向電極と、該測定用作用電極及び測定用対向電極上に設けられた反応部と、検体を該反応部まで導入する供給口と、から成るセンサ部を備え、計測表示器の取付口に挿入されて取り付けられ、前記反応部が前記供給口から導入された検体に反応することにより、該検体中の基質成分量を測定するバイオセンサにおいて、前記センサ部の、表面若しくは裏面、又は表面及び裏面に、前記センサ部を変形させることにより突出部を形成し得ることを特徴とする。
【発明の効果】
【０００９】
本発明のバイオセンサによれば、センサ部が突出部を有し又は突出部を形成し得るため、この突出部を摘んで容易に保持することができる。このため、糖尿病患者等が容易に指で摘んで計測表示器に取り付けることができる。
【発明を実施するための最良の形態】
【００１０】
次に、本発明に係るバイオセンサについて、図面に基づいて詳しく説明する。図１〜図３において、符号１０は本発明のバイオセンサを示す。
【００１１】
本発明のバイオセンサ１０は、絶縁体から成る基板１２と、基板１２上に設けられた測定用作用電極１４と、基板１２上に測定用作用電極１４と一定間隔を空けて設けられた測定用対向電極１６と、測定用作用電極１４及び測定用対向電極１６上に設けられた反応部１８と、血液（検体）を反応部１８まで導入する供給口２０と、から成るセンサ部１１を備え、計測表示器３０の取付口５２に挿入されて取り付けられ、反応部１８が供給口２０から導入された血液に反応することにより、血液中の血糖値（基質成分量）を測定するバイオセンサである。
【００１２】
このバイオセンサ１０において、センサ部１１の表面５４に突出部５８を有し、卓上面６０に載置した時に指を引っ掛ける摘み部が形成されるように構成されている。突出部５８は、四角柱形状から構成されており、図２（ａ）に示すように、突出部５８を上にして卓上面６０に載置した場合には、この突出部５８が摘み部を形成し、図２（ｂ）に示すように、突出部５８を下にして卓上面６０に載置した場合には、センサ部１１が摘み部を形成することとなる。
【００１３】
基板１２を構成する絶縁体は、例えば、ポリエチレンテレフタレート（ＰＥＴ）、ポリエチレンナフタレート、脂肪族ユニット及び芳香族ユニットからなる生分解性ポリエステル樹脂等のポリエステル系樹脂シート、より耐熱性、耐薬品性、強度等に優れるポリアミドイミドシート、ポリイミドフィルムシート等のプラスチックシート、セラミック等の無機系基板等である。
【００１４】
測定用作用電極１４及び測定用対向電極１６は、電気絶縁基板１２上に、例えば白金、金、パラジウム、インジウム−スズ酸化物等の良電導体によって形成される。形成方法としては、ホットスタンピングが考えられる。真空蒸着又はスパッタリングによる方が微細な電極パターンを精度良く形成できるので好ましい。スパッタリングの場合は、両電極形成外をマスキングすることで一挙に形成できる。
【００１５】
反応部１８は、酸化還元酵素及び電子受容体を含んで構成される。例えば、酸化還元酵素及び電子受容体を含む液体状の材料を塗布して乾燥させることにより構成される。酸化還元酵素は、例えば、グルコースを測定する場合には、グルコースオキシダーゼが挙げられる。グルコースオキシダーゼは、グルコースと反応して、グルコン酸及び過酸化水素が生成する。また、アルコール値を測定する場合には、アルコールオキシダーゼ又はアルコールデヒドロゲナーゼを使用する。また、乳酸を測定する場合には、乳酸オキシダーゼ又は乳酸デヒドロゲナーゼを使用する。また、尿酸を測定する場合には、ウリカーゼを使用する。一般には酵素の酸化還元を促進させる無機又は有機の微細粉末状化合物である。例えば、フェリシアン化アルカリ金属塩（特にフェリシアン化カリウム金属塩が好ましい。）、フェロセン又はそのアルキル置換体、ｐ−ベンゾキノン、メチレンブルー、β−ナフトキノン−４−スルホン酸カリウム、フェナジンメトサルフェート、２、６−ジクロロフェノール−インドフェノール等が挙げられる。フェリシアン化アルカリ金属塩、フェロセン系が、電子移動媒体としての働きが安定しており、水、アルコール類、又はこれら混合溶媒等の水性溶媒に良く溶けるため、電子受容体として有効に作用する。
【００１６】
供給口２０は、基板１２上にスペーサ２６を介して設けられたカバー２８の先端縁３１と、基板１２の先端縁３３とによって構成される。すなわち、スペーサ２６によって先端縁３１と先端縁３３との間に生じた隙間によって供給口２０が構成される。供給口２０から導入された血液は、十分な量であれば、毛細管現象によってスペーサ２６の先端縁３５まで到達することが可能である。
【００１７】
このバイオセンサ１０は、図１に示すように、基板１２上に測定用作用電極１４及び測定用対向電極１６を設け、測定用作用電極１４及び測定用対向電極１６上に反応部１８を塗布して、スペーサ２６を介してカバー２８で覆い、カバー２８上に突出部５８を固定することにより形成される。又は、カバー２８及び突出部５８を一体に形成しておいて、基板１２上に測定用作用電極１４及び測定用対向電極１６を設け、測定用作用電極１４及び測定用対向電極１６上に反応部１８を塗布して、スペーサ２６を介してカバー２８及び突出部５８を固定することにより形成される。
【００１８】
計測表示器３０は、突出部５８を含むバイオセンサ１０を嵌合する嵌合凹部６０を備えており、バイオセンサ１０を取付口５２に通電可能に取り付けることができるとともに、バイオセンサ１０を表裏逆方向には挿入できないように構成されている。
【００１９】
このような構成のバイオセンサ１０を使用して血糖値を測定する場合の作用について以下に説明する。血糖値の測定者は、まず、図２に示すように、バイオセンサ１０を容器から取り出して卓上面６０に載置する。バイオセンサ１０は長さが数センチメートル程度で非常に小さく、容器から転がすようにして卓上面６０に載置すると、図２（ａ）に示すように、突出部５８を上にして載置される場合と、図２（ｂ）に示すように、突出部５８を下にして載置される場合とが生じ得る。突出部５８を上にして載置された場合には、突出部５８に指６２を容易に引っ掛けることができ、突出部５８が摘み部を形成する。突出部５８を下にして裏面５６を上にして載置された場合には、センサ部１１に指６２を容易に引っ掛けることができ、センサ部１１が摘み部を形成する。
【００２０】
このようにして形成された摘み部を指６２で摘んでバイオセンサ１０を保持し、突出部５８を上にすれば、図３に示すように、取付口５２へ挿入して計測表示器３０に取り付けることができる。この時、バイオセンサ１０が表裏逆方向である場合には、センサ部１１が嵌合凹部６０の内壁６２と干渉するため、最後まで挿入できず、表裏逆方向であることを認識できる。表裏逆方向であることを認識すれば、突出部５８が上となる表裏正規方向にして計測表示器３０に取り付けることができる。このため、何度もバイオセンサ１０を取付口５２へ無理矢理に挿入しようとしてバイオセンサ１０又は計測表示器３０を損傷することがない。
【００２１】
以上、本発明の一実施形態について説明したが、本発明はその他の態様でも実施できる。例えば、図４に示すバイオセンサ７０であってもよい。このバイオセンサ７０は、表面５４に突出部５８を有するとともに裏面５６に突出部７２を有している。このバイオセンサ７０によれば、表面５４側を上にして卓上面６０に載置した時に突出部５８が摘み部を形成し、裏面５６側を上にして卓上面６０に載置した時に突出部７２が摘み部を形成する。また、突出部５８の長さと突出部７２の長さを変えることにより、取付口５２に取り付ける時に、視覚又は指６２の感触により、表裏逆方向に保持するのを防止できる。
【００２２】
また、図５に示すバイオセンサ８０であってもよい。このバイオセンサ８０は、裏面５６の後端８２付近にのみ、突出部８４を有している。このバイオセンサ８０の断面はＴ字形状であるため、このバイオセンサ８０を取り付ける計測表示器３０の取付口８６は、バイオセンサ８０を挿入できるように、Ｔ字形状に構成されている。このバイオセンサ８０によれば、表裏逆方向にして取付口８６に取り付けようとしても、バイオセンサ８０のいずれの部分も取付口８６に取り付けることができず、表裏逆方向にして取付口８６に取り付けるのを確実に防止できる。
【００２３】
また、図６に示すバイオセンサ９０であってもよい。このバイオセンサ９０は、表面５４に、断面が台形の突出部９２を有している。このバイオセンサ９０によれば、突出部９２が台形断面を有するため、突出部９２に指６２をより引っ掛けやすくなり、より容易に摘みやすくなる。
【００２４】
また、図７に示すバイオセンサ１００であってもよい。このバイオセンサ１００は、カバー２８に折り曲げ部１０２を設けておき、この折り曲げ部１０２を上へ折り曲げることにより、センサ部１１を変形させて表面５４に突出部を形成することができる。このバイオセンサ１００によれば、使用時にのみ突出部を形成するため、使用前には容器内にコンパクトに収納して嵩張るのを防止できる。
【００２５】
また、本発明は図示した実施形態には限定されない。例えば、従来のバイオセンサに突出部を固定して本発明のバイオセンサを構成してもよい。その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２６】
本発明のバイオセンサによれば、突出部を摘んで容易に保持することができる。このため、計測表示器に取り付けて使用するバイオセンサとして広く利用できる。
【図面の簡単な説明】
【００２７】
【図１】本発明のバイオセンサの斜視図である。
【図２】図１のバイオセンサの使用状態を示す斜視図であり、同図（ａ）は表面を上にして卓上面に載置した状態を示す図であり、同図（ｂ）は裏面を上にして卓上面に載置した状態を示す図である。
【図３】図１のバイオセンサを計測表示器に取り付ける状態を示す側面図である。
【図４】本発明のバイオセンサの他の実施形態を示す斜視図である。
【図５】本発明のバイオセンサの更に他の実施形態を示す斜視図である。
【図６】本発明のバイオセンサの更に他の実施形態を示す斜視図である。
【図７】本発明のバイオセンサの更に他の実施形態を示す斜視図である。
【符号の説明】
【００２８】
１０、７０、８０、９０．１００：バイオセンサ
１２：基板
１４：測定用作用電極
１６：測定用対向電極
１８：反応部
２０：供給口
２６：スペーサ
２８：カバー
３０：計測表示器
５４：表面
５６：裏面
５８、７２、８４、９２：突出部
【図１】
2010038885.tif 000003
【図２】
2010038885.tif 000004
【図３】
2010038885.tif 000005
【図４】
2010038885.tif 000006
【図５】
2010038885.tif 000007
【図６】
2010038885.tif 000008
【図７】
2010038885.tif 000009